(57)【要約】      （修正有）【課題】電気外科用発電機を提供すること。【解決手段】本発明は、電気外科用発電機２００であって、電気外科用発電機は、エネルギーを出力するように構成されているタンク２０８と、タンクを駆動するように構成されているＨ−ブリッジ２０６と、チョーク２１８であって、チョークは、Ｈ−ブリッジによって生じさせられるコモンモード電流を妨げ、タンクに関しての漏れインダクタンスを提供するように構成されている、チョークとを含む、電気外科用発電機を提供する。【選択図】図２
2015089323.tif 000002
【特許請求の範囲】
【請求項１】
電気外科用発電機であって、該電気外科用発電機は、
エネルギーを出力するように構成されているタンクと、
該タンクを駆動するように構成されているＨ−ブリッジと、
チョークであって、該チョークは、該Ｈ−ブリッジによって生じさせられるコモンモード電流を妨げ、該タンクに関しての漏れインダクタンスを提供するように構成されている、チョークと
を含む、電気外科用発電機。
【請求項２】
前記チョークは、
中央部材を有するコアと、
該中央部材の周りに巻かれている一次巻線と、
該中央部材の周りに巻かれている二次巻線と
を含む、請求項１に記載の電気外科用発電機。
【請求項３】
前記一次巻線は、１０巻数〜１５巻数を含む、請求項２に記載の電気外科用発電機。
【請求項４】
前記二次巻線は、１０巻数〜１５巻数を含む、請求項２に記載の電気外科用発電機。
【請求項５】
前記一次巻線は、第１の方向に巻かれている、請求項２に記載の電気外科用発電機。
【請求項６】
前記二次巻線は、前記一次巻線の前記第１の方向と逆の第２の方向に巻かれている、請求項５に記載の電気外科用発電機。
【請求項７】
前記一次巻線と前記二次巻線との間の距離は、前記チョークの前記漏れインダクタンスを決定する、請求項２に記載の電気外科用発電機。
【請求項８】
前記チョークは、
第１の中央部材を有する第１のコア半体と、
第２の中央部材を有する第２のコア半体と、
該第１の中央部材の周りに配置されている第１のボビンと、
該第２の中央部材の周りに配置されている第２のボビンと、
該第１のボビンの周りに配置されている一次巻線と、
該第２のボビンの周りに配置されている二次巻線と
を含む、請求項１に記載の電気外科用発電機。
【請求項９】
前記一次巻線は、１０巻数〜１５巻数を含む、請求項８に記載の電気外科用発電機。
【請求項１０】
前記二次巻線は、１０巻数〜１５巻数を含む、請求項８に記載の電気外科用発電機。
【請求項１１】
前記一次巻線は、第１の方向に巻かれている、請求項８に記載の電気外科用発電機。
【請求項１２】
前記二次巻線は、前記一次巻線の前記第１の方向と逆の第２の方向に巻かれている、請求項１１に記載の電気外科用発電機。
【請求項１３】
前記一次巻線と前記二次巻線との間の距離は、前記チョークの前記漏れインダクタンスを決定する、請求項７に記載の電気外科用発電機。
【請求項１４】
前記一次巻線と前記二次巻線との間の前記距離は、調整可能である、請求項１３に記載の電気外科用発電機。
【請求項１５】
チョークの漏れインダクタンスを調整する方法であって、該チョークは、第１の中央部材を有する第１のコア半体と、第２の中央部材を有する第２のコア半体と、該第１の中央部材の周りに配置されている第１のボビンと、該第２の中央部材の周りに配置されている第２のボビンと、該第１のボビンの周りに配置されている一次巻線と、該第２のボビンの周りに配置されている二次巻線とを含み、該方法は、該一次巻線と該二次巻線との間の距離を変更する工程を含む、方法。
【請求項１６】
前記距離を変更する工程は、前記第１のボビンを前記第２のボビンに対して移動させる工程を含む、請求項１５に記載の方法。
【発明の詳細な説明】
【技術分野】
【０００１】
背景
１．技術分野
本開示は、移相フルブリッジ共振インバーターを使用する無線周波増幅器に関する。特に、本開示は、共振インバーターの費用および複雑さを低減すること、および共振インバーターの性能を改善することに関する。
【背景技術】
【０００２】
２．関連技術の背景
エネルギーベースの組織処置は、当該分野において周知である。様々なタイプのエネルギー（例えば、電気的、超音波、マイクロ波、低温、熱、レーザーなど）は、所望の結果を達成するために、組織に適用される。電気外科は、組織を切断、切除、凝固、または密封するために、外科手術部位への高無線周波数電流の印加を含む。ソース電極または活性電極は、無線周波数エネルギーを電気外科用発電機から組織へ送達し、リターン電極は、電流を発電機に運び戻す。単極電気外科において、ソース電極は、代表的に、外科医によって保持される外科手術器具の一部であり、処置されるべき組織に当てられ、リターン電極は、電流を発電機に運び戻すために活性電極から離れて置かれる。双極電気外科において、手に持てるサイズの器具の電極のうちの一方は、活性電極として機能し、他方は、リターン電極として機能する。
【０００３】
図１は、先行技術の電気外科用発電機の例であり、この電気外科用発電機は、電気外科手順を実施するために必要とされる電気外科エネルギーを生じさせるために、移相フルブリッジ共振インバーターを使用する。発電機１００は、共振インバーター回路１０２とパルス幅変調（ＰＷＭ）コントローラー１０８とを含む。共振インバーター回路１０２は、Ｈ−ブリッジ１０４とＬＣＬＣタンク１０６とを含む。しかし、電気外科用発電機１００において、ＦＥＴ  Ｑ１、Ｑ２、Ｑ３、およびＱ４の推移は、共振インバーター回路１０２を通って循環するコモンモード電流を誘導し得、電気外科用発電機１００に電磁場適合性（ＥＭＣ）の問題をもたらす。
【発明の概要】
【課題を解決するための手段】
【０００４】
概要
本記載は、句「１つの実施形態において」、「実施形態において」、「いくつかの実施形態において」、または「他の実施形態において」を使用し得、それらはそれぞれ、本開示に従う、同じかまたは異なる実施形態のうちの１つ以上を指し得る。本記載の目的のために、形態「Ａ／Ｂ」での句は、ＡまたはＢを意味する。本記載の目的のために、形態「Ａおよび／またはＢ」での句は、「（Ａ）、（Ｂ）、または（ＡおよびＢ）」を意味する。本記載の目的のために、形態「Ａ、Ｂ、またはＣのうちの少なくとも１つ」での句は、「（Ａ）、（Ｂ）、（Ｃ）、（ＡおよびＢ）、（ＡおよびＣ）、（ＢおよびＣ）、または（Ａ、ＢおよびＣ）」を意味する。
【０００５】
本明細書中で用いられる場合、用語「発電機」は、エネルギーを提供することができるデバイスを指し得る。そのようなデバイスは、所望の強度、周波数、および／または波形を有するエネルギーを出力するために、電源と、電源によって出力されるエネルギーを改変することができる電気回路とを含み得る。
【０００６】
本明細書中に記載されるシステムはまた、１つ以上のコントローラーを利用して、様々な情報を受け取り、受け取られた情報を変換して、出力を生じさせ得る。コントローラーは、メモリーに記憶されている一連の命令を実行することができる任意のタイプのコンピューティングデバイス、計算回路、または任意のタイプのプロセッサーもしくは処理回路を含み得る。コントローラーは、複数のプロセッサーおよび／またはマルチコア中央処理装置（ＣＰＵ）を含み得、任意のタイプのプロセッサー（例えば、マイクロプロセッサー、デジタル信号プロセッサー、マイクロコントローラーなど）を含み得る。コントローラーは、一連の命令を実施するために、データおよび／またはアルゴリズムを記憶するためのメモリーも含み得る。
【０００７】
本明細書中に記載されるデータおよび／またはアルゴリズムのうちの任意のものは、１つ以上の機械読み取り可能なメディアまたはメモリーに含まれ得る。用語「メモリー」は、機械（例えば、プロセッサー、コンピューター、またはデジタル処理デバイス）によって読み取り可能な形態での情報を提供する（例えば、記憶する、および／または伝送する）機構を含み得る。例えば、メモリーとしては、読み出し専用メモリー（ＲＯＭ）、ランダムアクセスメモリー（ＲＡＭ）、磁気ディスク記憶メディア、光学的記憶メディア、フラッシュメモリーデバイス、または任意の他の揮発性もしくは不揮発性メモリー記憶デバイスが挙げられ得る。それらに含まれるコードまたは命令は、搬送波信号、赤外線信号、デジタル信号によって、および他の類似の信号によって、表され得る。
【０００８】
本開示の局面において、電気外科用発電機は、エネルギーを出力するように構成されているタンクと、タンクを駆動するように構成されているＨ−ブリッジとを含む。発電機は、チョークも含む。チョークは、Ｈ−ブリッジによって生じさせられるコモンモード電流を妨げ、タンクに関しての漏れインダクタンスを提供するように構成されている。
【０００９】
チョークは、中央部材を有するコアと、中央部材の周りに巻かれている一次巻線と、中央部材の周りに巻かれている二次巻線とを含む。一次巻線および二次巻線は、１０巻数〜１５巻数を含み得る。一次巻線は、第１の方向に巻かれ、二次巻線は、第１の方向と逆の第２の方向に巻かれている。一次巻線と二次巻線との間の距離は、チョークの漏れインダクタンスを決定する。
【００１０】
本開示の別の局面において、チョークは、第１の中央部材を有する第１のコア半体と、第２の中央部材を有する第２のコア半体とを含む。第１のボビンは、第１の中央部材の周りに配置され、第２のボビンは、第２の中央部材の周りに配置されている。一次巻線は、第１のボビンの周りに配置され、二次巻線は、第２のボビンの周りに配置されている。
【００１１】
一次巻線および二次巻線は、１０巻数〜１５巻数を含み得る。一次巻線は、第１の方向に巻かれ、二次巻線は、第１の方向と逆の第２の方向に巻かれている。一次巻線と二次巻線との間の距離は、チョークの漏れインダクタンスを決定する。一次巻線と二次巻線との間の距離は、調整可能であり得る。
【００１２】
本開示のさらに別の実施形態において、チョークの漏れインダクタンスを調整する方法が提供される。チョークは、第１の中央部材を有する第１のコア半体と、第２の中央部材を有する第２のコア半体と、第１の中央部材の周りに配置されている第１のボビンと、第２の中央部材の周りに配置されている第２のボビンと、第１のボビンの周りに配置されている一次巻線と、第２のボビンの周りに配置されている二次巻線とを含む。上記方法において、一次巻線と二次巻線との間の距離は、漏れインダクタンスを調整するために変更される。距離は、第１のボビンを第２のボビンに対して移動させることによって変更され得る。
【００１３】
本発明は、例えば以下の項目を提供する。
（項目１）
電気外科用発電機であって、該電気外科用発電機は、
エネルギーを出力するように構成されているタンクと、
該タンクを駆動するように構成されているＨ−ブリッジと、
チョークであって、該チョークは、該Ｈ−ブリッジによって生じさせられるコモンモード電流を妨げ、該タンクに関しての漏れインダクタンスを提供するように構成されている、チョークと
を含む、電気外科用発電機。
（項目２）
上記チョークは、
中央部材を有するコアと、
該中央部材の周りに巻かれている一次巻線と、
該中央部材の周りに巻かれている二次巻線と
を含む、上記項目に記載の電気外科用発電機。
（項目３）
上記一次巻線は、１０巻数〜１５巻数を含む、上記項目のうちのいずれか一項に記載の電気外科用発電機。
（項目４）
上記二次巻線は、１０巻数〜１５巻数を含む、上記項目のうちのいずれか一項に記載の電気外科用発電機。
（項目５）
上記一次巻線は、第１の方向に巻かれている、上記項目のうちのいずれか一項に記載の電気外科用発電機。
（項目６）
上記二次巻線は、上記一次巻線の上記第１の方向と逆の第２の方向に巻かれている、上記項目のうちのいずれか一項に記載の電気外科用発電機。
（項目７）
上記一次巻線と上記二次巻線との間の距離は、上記チョークの上記漏れインダクタンスを決定する、上記項目のうちのいずれか一項に記載の電気外科用発電機。
（項目８）
上記チョークは、
第１の中央部材を有する第１のコア半体と、
第２の中央部材を有する第２のコア半体と、
該第１の中央部材の周りに配置されている第１のボビンと、
該第２の中央部材の周りに配置されている第２のボビンと、
該第１のボビンの周りに配置されている一次巻線と、
該第２のボビンの周りに配置されている二次巻線と
を含む、上記項目のうちのいずれか一項に記載の電気外科用発電機。
（項目９）
上記一次巻線は、１０巻数〜１５巻数を含む、上記項目のうちのいずれか一項に記載の電気外科用発電機。
（項目１０）
上記二次巻線は、１０巻数〜１５巻数を含む、上記項目のうちのいずれか一項に記載の電気外科用発電機。
（項目１１）
上記一次巻線は、第１の方向に巻かれている、上記項目のうちのいずれか一項に記載の電気外科用発電機。
（項目１２）
上記二次巻線は、上記一次巻線の上記第１の方向と逆の第２の方向に巻かれている、上記項目のうちのいずれか一項に記載の電気外科用発電機。
（項目１３）
上記一次巻線と上記二次巻線との間の距離は、上記チョークの上記漏れインダクタンスを決定する、上記項目のうちのいずれか一項に記載の電気外科用発電機。
（項目１４）
上記一次巻線と上記二次巻線との間の上記距離は、調整可能である、上記項目のうちのいずれか一項に記載の電気外科用発電機。
（項目１５）
チョークの漏れインダクタンスを調整する方法であって、該チョークは、第１の中央部材を有する第１のコア半体と、第２の中央部材を有する第２のコア半体と、該第１の中央部材の周りに配置されている第１のボビンと、該第２の中央部材の周りに配置されている第２のボビンと、該第１のボビンの周りに配置されている一次巻線と、該第２のボビンの周りに配置されている二次巻線とを含み、該方法は、該一次巻線と該二次巻線との間の距離を変更する工程を含む、方法。
（項目１６）
上記距離を変更する工程は、上記第１のボビンを上記第２のボビンに対して移動させる工程を含む、上記項目のうちのいずれか一項に記載の方法。
（項目１Ａ）
電気外科用発電機であって、該電気外科用発電機は、
エネルギーを出力するように構成されているタンクと、
該タンクを駆動するように構成されているＨ−ブリッジと、
チョークであって、該チョークは、該Ｈ−ブリッジによって生じさせられるコモンモード電流を妨げ、該タンクに関しての漏れインダクタンスを提供するように構成されている、チョークと
を含む、電気外科用発電機。
（項目２Ａ）
上記チョークは、
中央部材を有するコアと、
該中央部材の周りに巻かれている一次巻線と、
該中央部材の周りに巻かれている二次巻線と
を含む、上記項目に記載の電気外科用発電機。
（項目３Ａ）
上記一次巻線は、１０巻数〜１５巻数を含む、上記項目のうちのいずれか一項に記載の電気外科用発電機。
（項目４Ａ）
上記二次巻線は、１０巻数〜１５巻数を含む、上記項目のうちのいずれか一項に記載の電気外科用発電機。
（項目５Ａ）
上記一次巻線は、第１の方向に巻かれている、上記項目のうちのいずれか一項に記載の電気外科用発電機。
（項目６Ａ）
上記二次巻線は、上記一次巻線の上記第１の方向と逆の第２の方向に巻かれている、上記項目のうちのいずれか一項に記載の電気外科用発電機。
（項目７Ａ）
上記一次巻線と上記二次巻線との間の距離は、上記チョークの上記漏れインダクタンスを決定する、上記項目のうちのいずれか一項に記載の共振インバーター。
（項目８Ａ）
上記チョークは、
第１の中央部材を有する第１のコア半体と、
第２の中央部材を有する第２のコア半体と、
該第１の中央部材の周りに配置されている第１のボビンと、
該第２の中央部材の周りに配置されている第２のボビンと、
該第１のボビンの周りに配置されている一次巻線と、
該第２のボビンの周りに配置されている二次巻線と
を含む、上記項目のうちのいずれか一項に記載の共振インバーター。
（項目９Ａ）
上記一次巻線は、１０巻数〜１５巻数を含む、上記項目のうちのいずれか一項に記載の共振インバーター。
（項目１０Ａ）
上記二次巻線は、１０巻数〜１５巻数を含む、上記項目のうちのいずれか一項に記載の共振インバーター。
（項目１１Ａ）
上記一次巻線は、第１の方向に巻かれている、上記項目のうちのいずれか一項に記載の共振インバーター。
（項目１２Ａ）
上記二次巻線は、上記一次巻線の上記第１の方向と逆の第２の方向に巻かれている、上記項目のうちのいずれか一項に記載の共振インバーター。
（項目１３Ａ）
上記一次巻線と上記二次巻線との間の距離は、上記チョークの上記漏れインダクタンスを決定する、上記項目のうちのいずれか一項に記載の共振インバーター。
（項目１４Ａ）
上記一次巻線と上記二次巻線との間の上記距離は、調整可能である、上記項目のうちのいずれか一項に記載の共振インバーター。
（項目１５Ａ）
チョークの漏れインダクタンスを調整する方法であって、該チョークは、第１の中央部材を有する第１のコア半体と、第２の中央部材を有する第２のコア半体と、該第１の中央部材の周りに配置されている第１のボビンと、該第２の中央部材の周りに配置されている第２のボビンと、該第１のボビンの周りに配置されている一次巻線と、該第２のボビンの周りに配置されている二次巻線とを含み、該方法は、該一次巻線と該二次巻線との間の距離を変更する工程を含む、方法。
（項目１６Ａ）
上記距離を変更する工程は、上記第１のボビンを上記第２のボビンに対して移動させる工程を含む、上記項目のうちのいずれか一項に記載の方法。
（摘要）
本開示は、電気外科用発電機に関し、この電気外科用発電機は、エネルギーを出力するように構成されているタンクと、タンクを駆動するように構成されているＨ−ブリッジとを含む。発電機は、チョークも含む。チョークは、Ｈ−ブリッジによって生じさせられるコモンモード電流を妨げ、タンクに関しての漏れインダクタンスを提供する。
【００１４】
本開示の上記および他の局面、特徴、および利点は、添付の図面とともに用いられる場合、以下の詳細な説明を考慮してより明らかになる。
【図面の簡単な説明】
【００１５】
【図１】図１は、先行技術の電気外科用発電機の概略的な例示である。
【図２】図２は、本開示の実施形態に従う、電気外科用発電機の概略的な例示である。
【図３】図３は、本開示の実施形態に従う、コモンモードチョークの例示である。
【図４】図４は、本開示の別の実施形態に従う、コモンモードチョークの例示である。
【発明を実施するための形態】
【００１６】
詳細な説明
本開示の特定の実施形態が添付の図面を参照して以下に記載されるが、開示される実施形態は、単に本開示の例であり、様々な形態で具体化され得ることが理解されるべきである。周知の機能または構築は、本開示を不必要な詳細で不明瞭にすることを避けるために詳細に記載されない。従って、本明細書中に開示される特定の構造上および機能上の詳細は、限定するものではなく、単に特許請求の範囲のための基礎として、および事実上任意の適切に詳述した構造で本開示を様々に用いるために、当業者に教示するための代表的な基礎として解釈される。類似の参照数字は、図面の記載にわたって、同様の要素または同一の要素を指し得る。
【００１７】
本開示は、電気外科用発電機に関し、この電気外科用発電機は、ＬＣＬＣタンクトポロジーとＨ−ブリッジとを有する移相フルブリッジ共振インバーターを用いる。本開示の実施形態において、共振インバーターは、共振構成要素として、コモンモード（ＣＭ）チョークを利用する。ＣＭチョークは、Ｈ−ブリッジによって生じさせられるＣＭ電流を妨げる。ＣＭチョークはまた、電気外科用発電機における構成要素の数を低減するために、エネルギー保存要素として機能する。
【００１８】
図２に目を向けると、本開示の実施形態に従う電気外科用発電機が、全体的に２００として示されている。発電機２００は、発電機２００を制御するための適切な入力制御装置（例えば、ボタン、アクチベータ、スイッチ、タッチスクリーンなど）を含む。さらに、発電機２００は、使用者に多様な出力情報（例えば、強度設定、処置完了指標など）を提供するための１つ以上のディスプレースクリーン（示されない）を含み得る。制御装置は、使用者がＲＦエネルギーのパワー、波形、ならびに許容される最大アークエネルギーのレベルを調整することを可能にし、この最大アークエネルギーは、特定のタスク（例えば、凝固、組織密封、強度設定など）に適した所望の波形を達成するために、所望の組織効果および他のパラメーターに依存して変動する。発電機２００に接続され得る器具（示されない）は、発電機２００の特定の入力制御装置との冗長性をもち得る複数の入力制御装置も含み得る。器具に入力制御装置を設置することは、外科手術手順中、発電機２００との相互作用を必要とすることなく、ＲＦエネルギーパラメーターのより容易でより速い改変を可能にする。
【００１９】
発電機２００は、様々なタイプの電気外科用器具を収容するために、複数のコネクターを含み得る。さらに、発電機２００は、コネクター間のＲＦエネルギーの供給を切り替えるために、切り替え機構（例えば、継電器）を含むことによって、単極モードまたは双極モードで動作し得る。
【００２０】
発電機２００は、共振インバーター回路２０２とパルス幅変調（ＰＷＭ）コントローラー２０４とを含む。共振インバーター回路２０２は、Ｈ−ブリッジ２０６を含み、このＨ−ブリッジ２０６は、ＦＥＴ  Ｑ１、Ｑ２、Ｑ３、およびＱ４と、タンク２０８とを有する。ＰＷＭコントローラー２０４は、プロセッサー２１０とメモリー２１２とを含む。
【００２１】
共振インバーター回路２０２において、Ｈ−ブリッジ２０６は、陽性高圧直流（＋ＨＶＤＣ）を供給される。タンク２０８は、活性ＦＥＴスイッチＱ１、Ｑ２、Ｑ３、およびＱ４によって、フルブリッジ構成で駆動される。ＰＷＭコントローラー２０８は、図２に示されるように、ＦＥＴスイッチＱ１、Ｑ２、Ｑ３、およびＱ４に移相ＰＷＭタイミング信号を供給する。ＦＥＴ  Ｑ１およびＱ２は、電圧ＶＳ１をタンク２０８に提供し、ＦＥＴ  Ｑ３およびＱ４は、電圧ＶＳ２をタンク２０８に提供する。
【００２２】
タンク２０８は、活性端子２１４を介して電気外科エネルギーを器具（示されない）に出力する。特に、活性端子２１４は、高ＲＦエネルギーの持続的またはパルス状のいずれかの正弦波形を提供する。活性端子２１４は、様々なデューティサイクル、ピーク電圧、波高因子、および他の適切なパラメーターを有する複数の波形を提供するように構成されている。特定のタイプの波形は、特定の電気外科モードに適している。例えば、活性端子２１４は、切断モードにおいて、１００％のデューティサイクル正弦波形を提供し得、この波形は、組織を切除、融合、および切開するのに最も適しており、活性端子２１４は、凝固モードにおいて、１％〜２５％のデューティサイクル波形を提供し得、この波形は、出血を止めるために、組織を焼灼するのに最も良好に使用される。
【００２３】
リターン端子２１６は、単極手順のためにリターンパッド（示されない）に連結される。あるいは、リターン端子２１６は、器具におけるリターン電極（示されない）に電気的に連結される。
【００２４】
ＦＥＴスイッチＱ１、Ｑ２、Ｑ４、およびＱ４の推移によって生じさせられるＣＭ電流を妨げるために、タンク２０８は、ＣＭチョーク２１８を含む。ＣＭチョークは、差動電流を通し、この電流は、等しいが、逆である電流であり、一方で、ＣＭチョークは、ＣＭ電流を遮断し、この電流は、同位相および逆位相の電流によって妨害されない電流である。ＣＭチョークは、タンク２０８において差動電流を通し、一方で、ＣＭ電流を妨げる。図３は、本開示の実施形態に従う、ＣＭチョーク２１８の概略的な描写を表している。図３に示されるように、ＣＭチョーク２１８は、共振構成要素Ｌ１およびＬ２を含む。共振構成要素Ｌ１およびＬ２は、電気外科用発電機２００における構成要素の数を低減するために、エネルギー保存要素として、図１に示される先行技術の発電機構成の共振構成要素ＬＳに取って代わる。従って、ＣＭチョーク２１８は、タンク２０８において必要とされる差動インダクタンスを含み、一方で、ＣＭチョーク２１８の相互インダクタンスは、ＣＭ電流を妨げる。
【００２５】
図３に示されるように、ＣＭチョーク２１８は、フェライトコア２２０（例えば、ＦＥＲＲＯＸＣＵＢＥ（以前は、Ｙａｇｅｏ  Ｃｏｒｐｏｒａｔｉｏｎの一部のＰｈｉｌｉｐｓ  Ｃｏｍｐｏｎｅｎｔｓ  ｃｏｍｐａｎｙ）から入手可能なＰＱ２６２５  ＦＥＲＲＯＸＣＵＢＥ（登録商標）フェライトコア）を含む。一次巻線２２２および二次巻線２２４は、コア２２０の中央部材２２６の周りに巻かれている。一次巻線２２２および二次巻線２２４の両方は、１０巻数〜１５巻数を含み、巻数の間に無視できるほどのギャップを有する。一次巻線２２２は、第１の方向（例えば、左手の方向）で中央部材２２６の周りに巻かれ、二次巻線２２４は、一次巻線２２２と逆の第２の方向（例えば、右手の方向）で中央部材２２６の周りに巻かれている。一次巻線２２２および二次巻線２２４は、距離「ｄ」によって隔てられている。距離「ｄ」は、ＣＭチョーク２１８の漏れインダクタンスを決定する。距離「ｄ」が大きくなればなるほど、漏れインダクタンスは、大きくなる。
【００２６】
図４は、本開示の別の実施形態に従う、ＣＭチョーク３００の例示である。ＣＭチョーク３００は、２つの別個のコア半体３０２ａおよび３０２ｂから製造されるフェライトコア３０２を含む。フェライトコア３０２は、産業標準コア（例えば、ＦＥＲＲＯＸＣＵＢＥからのＰＱ２６２５）であり得る。コア半体３０２ａは、円筒形部材またはボビン３０６を有する中央部材３０４ａを含む。コア半体３０２ｂはまた、円筒形部材またはボビン３０８を有する中央部材３０４ｂを含む。ボビン３０６および３０８は、中央部材３０４ａおよび３０４ｂによって規定される軸「Ｘ」に平行である長手方向に移動させられ得る。
【００２７】
一次巻線３１０は、ボビン３０６の周りに配置されている。一次巻線３０６は、１０巻数〜１５巻数を含み、巻数の間に無視できるほどのギャップを有し、一次巻線３０６は、第１の方向に巻かれている。二次巻線３１２は、ボビン３０８の周りに配置されている。二次巻線はまた、１０巻数〜１５巻数を含み、巻数の間に無視できるほどのギャップを有し、二次巻線は、一次巻線の方向と逆である第２の方向に巻かれている。上に表されるように、一次巻線と二次巻線との間の距離「ｄ」は、ＣＭチョークの漏れインダクタンスを決定する。ＣＭチョーク３００において、距離「ｄ」は、ボビン３０６および３０８を互いに対して移動させることによって調整され得、それにより、距離「ｄ」を変更する。距離「ｄ」を調整することによって、漏れインダクタンスは、増大させられ得るか、または減少させられ得る。
【００２８】
前述の記載は、本開示の例証となるに過ぎないことが理解されるべきである。様々な代替物および改変は、本開示から逸脱することなく、当業者によって考案され得る。従って、本開示は、全てのそのような代替物、改変、および変化を包含することが意図される。添付の図面を参照して記載される実施形態は、本開示の特定の例を実証するためのみに表される。上記および／または添付の特許請求の範囲に記載されるものとわずかに異なる他の要素、ステップ、方法、および技術は、本開示の範囲内であることも意図される。
【符号の説明】
【００２９】
１００    （電気外科用）発電機
２００    （電気外科用）発電機
２０６    Ｈ−ブリッジ
２０８    タンク
２１８    （ＣＭ）チョーク
３００    （ＣＭ）チョーク
【図１】
2015089323.tif 000003
【図２】
2015089323.tif 000004
【図３】
2015089323.tif 000005
【図４】
2015089323.tif 000006